(57)【要約】      （修正有）【課題】組立の作業性が良好で、又、解体も部材が破損する恐れがないに組立ボックスを提供する。【解決手段】背面パネル１１の両側にヒンジ２により側面パネル１２が取り付けられ、両側面パネル１２を背面パネル１１に対して直交方向に開くと前方に開口した箱形体に形成され、背面パネル１１、側面パネル１２に連結金具６が取り付けられ、天板１３、地板１４、固定棚１５に連結金具６に嵌め込まれる取付金具５が取り付けられ、連結金具６に取付金具５を嵌め込むことにより、背面パネル１１、側面パネル１２とに、天板１３、地板１４、固定棚１５が固定される。【選択図】図１
2014204804.tif 000002
【特許請求の範囲】
【請求項１】
背面パネルの両側にヒンジにより側面パネルが取り付けられ、前記側面パネルを背面パネルに対して直交方向に開くと前方に開口した箱形体に形成され、前記背面パネル、側面パネルに連結金具が取り付けられ、天板、地板、固定棚に前記連結金具に嵌め込まれる取付金具が取り付けられ、前記連結金具に取付金具を嵌め込むことにより、前記背面パネル、側面パネルとに、天板、地板、固定棚が固定されることを特徴とする組立ボックス。
【請求項２】
前記連結金具は、前記収納凹所と、この収納凹所に設けられた貫通穴とを有し、前記取付金具に前記収納凹所に嵌め込まれる舌片と、前記舌片に前記貫通穴に入り込む凸部が形成されていることを特徴とする請求項１に記載の組立ボックス。
【発明の詳細な説明】
【技術分野】
【０００１】
この発明は、組立作業を容易に行うことができる組立ボックスに関するものである。
【背景技術】
【０００２】
工場で生産した部材を梱包して販売する組立式家具は、原則として開梱と組立が購入者の負担となる。このような生産者が組み立て工程を省く商品は多岐にわたる。組立式家具の中で、箱形の組立ボックスが収納に便利なものとして種々販売されている。
【０００３】
従来の組立ボックスが特許文献１に開示されている。従来の組立ボックスは、図１６に示すように、左右一組の側板部材１２２、１２４、上下の天板部材１２１及び底板部材１２３、と背面部材１２５からなり、これらを接合して製作される。このような組立ボックスの製作は、例えば、いずれか一方の側板部材１２２の上下端縁部それぞれに、天板部材１２１及び底板部材１２３の端面をダボやねじ等で接合した後、これら３部材の背面側に予め形成した溝部１３０へ背面部材１２５を挿入し、残りの側板部材１２４を同様にダボ或いはねじ等を用いて天板部材１２１及び底板部材１２３のもう一方の端面に接合する、という組立手順で行われる。又、側板部材１２２、１２４の内面側には適宜間隔でダボ穴１３１が設けられ、このダボ穴１３１にダボを装着して棚板等が保持される。
【先行技術文献】
【特許文献】
【０００４】
【特許文献１】特開２００３−１９９６４０号公報  （図８参照）
【発明の概要】
【発明が解決しようとする課題】
【０００５】
しかしながら、上記の組立ボックスは、天板部材１２１及び底板部材１２３を側板部材１２２にダボやねじ等を用いて接合するために、組立作業に手間がかかる。また、一旦、組み立ててしまうと、移動、運搬などの時に解体しようとすると、ダボやねじを外すときに各部材が破損する恐れがあった。
【０００６】
そこで、この発明は、組立の作業性が良好で、又、解体も部材が破損する恐れがないに組立ボックスを提供することを課題とするものである。
【課題を解決するための手段】
【０００７】
この発明は、上記の課題を解決するために、背面パネルの両側にヒンジにより側面パネルが取り付けられ、前記側面パネルを背面パネルに対して直交方向に開くと前方に開口した箱形体に形成され、前記背面パネル、側面パネルに連結金具が取り付けられ、天板、地板、固定棚に前記連結金具に嵌め込まれる取付金具が取り付けられ、前記連結金具に取付金具を嵌め込むことにより、前記背面パネル、側面パネルとに、天板、地板、固定棚が固定されるように構成される。
【０００８】
また、前記連結金具は、前記収納凹所と、この収納凹所に設けられた貫通穴とを有し、前記取付金具に前記収納凹所に嵌め込まれる舌片と、前記舌片に前記貫通穴に入り込む凸部が形成されているように構成することができる。
【発明の効果】
【０００９】
この発明においては、上記のように、天板、地板、固定棚が背面パネル、側面パネル、との間に連結金具と取付金具を用いた嵌め込みにより固定することができ、組立が容易に行える。また、解体する際には、天板、地板、固定棚を連結金具から取付金具を引き抜く方向に力を加えることで、天板、地板、固定棚を簡単に取り外すことができる。
【図面の簡単な説明】
【００１０】
【図１】この発明の実施形態にかかる組立ボックスを示す斜視図である。
【図２】この発明の実施形態にかかる組立ボックスを示す斜視図である。
【図３】この発明の実施形態にかかる組立ボックスを示す正面図である。
【図４】この発明の実施形態に用いられる組立ボックスの背面パネルと側面パネルを示す斜視図である。
【図５】この発明の実施形態に用いられる組立ボックスの背面パネルと側面パネルを示す正面図である。
【図６】この発明の実施形態に用いられる連結金具を示す斜視図である。
【図７】この発明の実施形態に用いられる連結金具を示す斜視図である。
【図８】この発明の実施形態に用いられる連結金具を背面パネル又は側面パネルに取り付けた状態を示す正面図である。
【図９】この発明の実施形態に用いられる組立ボックスの天板（地板）を示す斜視図である。
【図１０】この発明の実施形態に用いられる組立ボックスの天板（地板）を示す上面図である。
【図１１】この発明の実施形態に用いられる組立ボックスの固定棚を示す斜視図である。
【図１２】この発明の実施形態に用いられる組立ボックスの固定棚を示す上面図である。
【図１３】この発明の実施形態に用いられる組立ボックスを組み立てる状態を示す正面図である。
【図１４】この発明の実施形態に用いられる組立ボックスを組み立てる状態を示す要部を拡大した斜視図である。
【図１５】この発明の実施形態に用いられる組立ボックスを組み立てる状態を示す要部を拡大した斜視図である。
【図１６】従来の組立ボックスを示す分解斜視図である。
【発明を実施するための形態】
【００１１】
この発明の実施形態を添付図面に基づいて具体的に説明する。なお、本発明に係る組立ボックスは、下記の実施形態に示したものに限定されず、その要旨を変更しない範囲において適宜変更して実施できるものである。
【００１２】
図１〜図３は、この発明の第１の実施形態にかかる組立ボックスを示している。図に示すように、組立ボックス１は、背面パネル１１の両側にヒンジ２により側面パネル１２、１２が取り付けられ、両側面パネル１２、１２を背面パネル１１に対して直交方向に開くと前方に開口した箱形体に形成される。そして、天板１３、地板１４、固定棚１５が背面パネル１１、側面パネル１２、１２との間に連結金具６と取付金具５を用いた嵌め込みにより固定されている。さらに、可動棚１６が側面パネル１２、１２に設けられたダボ穴１２ａに挿入された金属ダボ（図示せず）上に載置されている。この組立ボックス１の組立については後述する。
【００１３】
図４、図５及び図８に示すように、組立ボックス１の背面パネル１１の上端近傍には、後述するように、天板１３を嵌め込むための連結金具６がねじ６５により取り付けられている。側面パネル１２、１２の上端近傍にも天板１３を嵌め込むための連結金具６がねじ６５により取り付けられている。
【００１４】
また、背面パネル１１の底部近傍には、地板１４を嵌め込むための連結金具６がねじ６５により取り付けられている。側面パネル１２、１２の底部近傍にも組立ボックス地板１４を嵌め込むための連結金具６がねじ６５により取り付けられている。
【００１５】
さらに、背面パネル１１の中央部には、固定棚２６を嵌め込むための連結金具６がねじ６５により取り付けられている。側面パネル１２、１２の中央部にも固定棚１５を嵌め込むための連結金具６がねじ６５により取り付けられている。
【００１６】
上記した組立ボックス１は、ダボやねじによる固定をなくしている。上記したように、天板１３、地板１４、固定棚１５に上記の連結金具６に嵌め込まれる取付金具５を連結金具６と対応する位置にそれぞれ設けている。そして、天板１３、地板１４、固定棚１５と、背面パネル１１、側面パネル１２、１２との固定を連結金具６と取付金具５との嵌め込みにより行い、組み立て作業を簡易化している。以下、連結金具６、取付金具５の構成につき図を参照して更に説明する。
【００１７】
図６〜図８に示すように、連結金具６は、天板１３、地板１４、固定棚１５に取り付けられる取付金具５の先端に設けられた舌片５４が嵌め込まれる収納凹所６１が設けられ、この収納凹所６１に貫通穴６２が設けられている。連結金具６の収納凹所６１の周囲には鍔部６３が設けられ、この鍔部６３に、この実施形態では３箇所、即ち、収納凹所６１を挟んで左右とその下に穴６４が設けられ、図８に示すように、この穴６４にねじ６５を通し、背面パネル１１、側面パネル１２の所定箇所に連結金具６が取り付けられる。
【００１８】
図９及び図１０に示すように、天板１３、地板１４の背面パネル１１と接する側と側面パネル１２、１２のそれぞれ接する両側面の中央部に、連結金具６に嵌まり込むＬ字型の取付金具５がねじ５６により取り付けられている。この取付金具５には、連結金具６の収納凹所６１に嵌まり込む舌片５４と貫通穴６２に嵌まり込む凸部５４ａが設けられている。
【００１９】
同様に、図１１及び図１２に示すように、固定棚１５の背面パネル１１と接する側と側面パネル１２、１２のそれぞれ接する両側面の中央部に、連結金具６に嵌まり込むＬ字型の取付金具５がねじ５６により取り付けられている。固定棚１５は組立ボックス１の側面パネル１２と側面パネル２３との間に収容されるので、天板１３、地板１４より小さく背面パネル１１と側面パネル１２、１２に接する大きさに形成されている。
【００２０】
連結金具６の収納凹所６１に取付金具５の舌片５４を嵌め込むと、貫通穴６２に舌片５４の凸部５４ａが入り込み、舌片５４と連結金具６とが固定され、連結金具６を取り付けた背面パネル１１、側面パネル１２、１２に天板１３、地板１４、固定棚１５が固定される。この貫通穴６２に舌片５４に設けられた凸部５４ａが嵌まり込むことで、収納凹所６１に嵌め込まれた舌片５４が抜けるのを防止している。また、組立ボックス１を解体する際には、天板１３、地板１４、固定棚１５を連結金具６の収納凹所６１から取付金具５の舌片５４を引き抜く方向に力を加えると、取付金具５が撓み、貫通穴６２から凸部５４ａが抜け、天板１３、地板１４、固定棚１５を取り外すことができる。このように、解体も容易に行える。
【００２１】
この実施形態の組立ボックス１の固定は、ボルトによる固定を行わずに、背面パネル１１、側面パネル１２、１２にそれぞれ取り付けた連結金具６に天板１３、地板１４、固定棚１５に設けた取付金具５の舌片５４を嵌め込むことにより固定し、組み立て作業を簡易化している。以下、この実施形態の組立について図を参照して更に説明する。
【００２２】
図４に示すように、この実施形態においては、組立ボックス１には、天板１３、地板１４、固定棚１５の固定用に３つの連結金具６が取り付けられている。側面パネル１２、１２には天板１３、地板１４、固定棚１５の固定用に３つの連結金具６が取り付けられている。側面パネル１２と側面パネル２３を背面パネル１１に対して直交方向に開くと前方に開口した箱形体に形成される。
【００２３】
図１３に示すように、組立ボックス１の上方から天板１３の取付金具５の舌片５４を連結金具６の収納凹所６１に合わせて嵌め込む。そして、取付金具５の舌片５４の凸部５４ａを連結金具６の貫通穴６２に嵌め込むことにより、背面パネル１１、側面パネル１２、１２の上部に天板１３が固定される。同様に、組立ボックス１の下方から組立ボックス地板１４の取付金具５の舌片５４を連結金具６の収納凹所６１に合わせて嵌め込む。そして、取付金具５の舌片５４の凸部５４ａを連結金具６の貫通穴６２に嵌め込むことにより、背面パネル１１、側面パネル１２、側面パネル２３の底部に組立ボックス地板２４が固定される。組立ボックス１の中央部の上方から固定棚１５の取付金具５の舌片５４を連結金具６の収納凹所６１に合わせて嵌め込む。そして、取付金具５の舌片５４の凸部５４ａを連結金具６の貫通穴６２に嵌め込むことにより、背面パネル１１、側面パネル１２、側面パネル２３の中央部に固定棚１５が固定される。
【００２４】
さらに、側面パネル１２、１２に設けられたダボ穴１２ａに金属ダボ（図示せず）を挿入し、可動棚１６が取り付けられる。
【００２５】
このように、この実施形態においては、嵌め込みだけで組立ボックス１を組み立てることができるので、組立が容易である。
【符号の説明】
【００２６】
１  組立ボックス
１１  背面パネル
１２  側面パネル
５    取付金具
５  舌片
５４ａ  凸部
６  連結部材
６１  収納凹所
６２  貫通穴
【図１】
2014204804.tif 000003
【図２】
2014204804.tif 000004
【図３】
2014204804.tif 000005
【図４】
2014204804.tif 000006
【図５】
2014204804.tif 000007
【図６】
2014204804.tif 000008
【図７】
2014204804.tif 000009
【図８】
2014204804.tif 000010
【図９】
2014204804.tif 000011
【図１０】
2014204804.tif 000012
【図１１】
2014204804.tif 000013
【図１２】
2014204804.tif 000014
【図１３】
2014204804.tif 000015
【図１４】
2014204804.tif 000016
【図１５】
2014204804.tif 000017
【図１６】
2014204804.tif 000018